(57)【特許請求の範囲】
【請求項１】
解除自在に挿入部材を締め付けるための締め付け装置であって、締め付け装置は、取付穴（access bore）部分と把持穴（gripping bore）部分の合体（union）によって形成される挿入穴を持ち、前記取付穴部分と把持穴部分は前記締め付け部材の横断面図において円形断面を持ち、前記取付穴部分はこれに対するまたこれからのシャンク部分の自由な滑り込み、引き出しを可能にし、前記把持穴部分は、前記取付穴から把持穴部分にシャンク部分が強制的に移動させられると、前記横断面図におけるシャンク部分の周囲表面の弧状部分と接触するもので、
前記取付穴および把持穴部分は、少なくともその一部分に沿って間隔を開けて配置される縦軸を持つ
ことを特徴とする締め付け装置。
【請求項２】
前記縦軸が単一の平面を規定する、請求項１に記載の装置。
【請求項３】
前記縦軸が互いに平行でかつずれて配置される、請求項２に記載の装置。
【請求項４】
前記取付穴および把持穴部分がそれぞれ、垂直円形円筒形状（right circular cylindrical shape）である、請求項３に記載の装置。
【請求項５】
前記取付穴部分が垂直円形円筒形状で、前記把持穴部分が垂直円形円錐台形状（right circular frusto-conical shape）である、請求項３に記載の装置。
【請求項６】
前記把持穴部分が１８０°以上の弧角（arc angle）を持つ締め付け表面を持つ、請求項１乃至５のいずれかに記載の装置。
【請求項７】
前記締め付け部材が、外側管状部分と、前記挿入穴によって形成される内側管状コア部分を含み、前記外側および内側部分が異なる素材で作られている、請求項１乃至６のいずれかに記載の装置。
【請求項８】
挿入部材を軸方向で支持するための前部当接表面（leading abutment surface）と、挿入部材の傾斜面と係合して挿入部材を前記取付穴部分から前記把持穴部分へ強制的に移動させると同時に、挿入部材を前記前部当接表面に対して軸方向に押圧する（urging）ための締め付けネジをさらに具備する、請求項１乃至６のいずれかに記載の装置。
【請求項９】
前記縦軸がもう一つに対して（to another one）傾斜している、請求項２に記載の装置。
【請求項１０】
前記取付穴部分が傾斜円形円筒形状をもち、前記把持穴部分が垂直円形円筒形状を持つ、請求項９に記載の装置。
【発明の詳細な説明】
【０００１】
【発明の分野】
本発明は解除自在に挿入部材を締め付けるための締め付け装置に関する。
【０００２】
（発明の背景）
締め付け装置の一般的な応用として、工具ホルダー（締め付け装置を構成する）に切削工具（挿入部材を構成する）を解除自在に締め付けることがある。日本未審査公開特許（JP Unexamined Patent Publication）７−９２１２には、取付穴部分と把持穴部分の合体によって形成される挿入穴を持ち、取付穴部分と把持穴部分が共通の縦軸を共有し、それぞれr’＞Ｒ＞ｒを満たす半径r’と半径ｒを持ち、Rが切削工具の垂直円形円筒形シャンク（right circular cylindrical shank）の半径である、サイドロック式工具ホルダー（side lock toolholder）の図示、説明がみられる。取付穴部分はほぼ１８０°の弧角にわたって延在するため、切削工具は自由にこの穴に滑り込ませることが可能であり、（slidingly insertable）、またこれから引き出し可能であり、切削工具は取付穴部分から把持穴部分に強制的に移動可能（forcibly displaceable）になっている。このような工具ホルダーは、把持穴部分の弧角が１８０°以下であるため、把持穴部分の把持能力が低下して切削作業中の安定性を損なうという欠点がある。
【０００３】
（発明の要旨）
本発明によれば、挿入部材を解除自在に締め付けるための締め付け装置が提供されるものであって、締め付け装置は取付穴部分と把持穴部分の合体によって形成される挿入穴を持つ締め付け部材を具備し、シャンク部分を自由に前記取付穴部分に滑り込ませたり、ここから引き出したりし、取付穴部分から前記把持穴部分に強制的に移動させることで把持穴部分の締め付け表面によって締め付けを行うもので、
前記取付および把持穴部分は少なくともその一部に沿って間隔を置いた縦軸をもつ
ことを特徴とする。
【０００４】
本発明の第１の実施形態によれば、挿入穴はそれぞれ平行で互いにずれて配置される（offset one from another）縦軸を持つ一対の円形断面取付および把持穴部分を合体させて形成することができ、これにより挿入部材を取付穴部分から把持穴部分に横方向に強制的に移動させるようになっている。好ましくは、取付穴部分は垂直円形円筒形状を持ち、一方把持穴部分は垂直円形円筒形でも、あるいは垂直円形円錐台（right circular frusto-conical）形状でもよい。
【０００５】
本発明の第２の実施形態によれば、挿入穴は交叉する縦軸をそれぞれ持つ一対の円形断面取付および把持穴部分を合体させて形成することができ、これにより挿入部材を旋回させながら強制的に（pivotally forcibly）取付穴部分から把持穴部分に移動させるようになっている。好ましくは、取付穴部分は傾斜円形円筒形状を持ち、一方把持穴部分は垂直円形円筒形状を持つ。
【０００６】
いずれの実施形態においても、取付穴部分の直径D１は、その最小値が挿入部材のシャンク部分の直径D 0より大きく、把持穴部分の最大値D２はD０より小さい。加えて、第１の実施形態では、２つの縦軸は距離D３の間隔を置いて位置するが、第２の実施形態では、２つの縦軸は傾斜角γで傾斜している。
【０００７】
（好ましい実施例の詳細な説明）
本発明およびその使用方法を理解するため、好ましい実施例を非制限的な例として、図面を参照しながら説明する。
【０００８】
図１乃至３において、工具ホルダー締め付け装具１（締め付け装置を構成）は、工具ホルダー締め付け装具１を作業台４に一対の装着ネジ５A、5Bを介して装着するための水平装着部材３と、工具ホルダークランプ８が装着される直立支持体７とを持つＬ形装着フレーム２を含む。工具ホルダークランプ８は工具ホルダー９（挿入部材を構成する）を解除自在に締め付けるためのもので、工具ホルダーは、たとえば直径D０の垂直円形円筒形シャンク部分１０を持つ、HSK型工具ホルダーなど、多様な各種ホルダーのうちのいずれでもよい。工具ホルダークランプ８は中間支持肩部１３が形成された挿入穴１１を持ち、この肩部にシャンク部分１０の当接面１４が当接する。工具ホルダー９は、シャンク部分１０に圧接するためのスリーブ１７を持つ固定装置１６を介して支持肩部１３の上で挿入穴１１の上部保持部分１５に固定される。
【０００９】
図２，３に示すように、上部保持部分１５は固定装置１６に隣接する垂直円形円筒形取付穴部分１９Aと固定装置１６から離れた位置にある垂直円形円筒形把持穴部分１９Bの合体によって形成される。取付穴部分１９Aと把持穴部分１９Bは、それぞれ直径DとD2と、互いに距離D3のずれを持つ平行な縦軸２０Aと２０Bを持つ。取付および把持穴部分１９A、１９Bの内面は、１８０°以上の弧角をもち全体が半円筒形である把持穴部分１９Bの締め付け面２１を規定する接合線（図示せず）で交わる。
【００１０】
使用にあたっては、まず固定装置１６を工具ホルダークランプ８の外側からねじ込んで（screwed outwardly from）おいて、工具ホルダーのシャンク部分１０が容易にその取付穴部分９Aに滑り込めるようにする（図２参照）。その後、固定装置１６を工具ホルダークランプ８にねじ込むと、固定装置のスリーブ１７が工具ホルダーのシャンク部分１０を圧接し、把持穴部分１９Bが力によって膨張して（forced expansion）シャンク部分１０が把持穴部分１９Bにしっかりはまる。いったん締め付ければ、新しい切削工具を工具ホルダーの切削工具受け入れ穴２２に締め付けることも、あるいは、摩耗した切削工具を取り替えることもできる。最後に、固定装置１６を外側にねじ回して（screwed outwardly）、工具ホルダー９を手動で強く取付穴部分１９Aに押し戻せば、ここから簡単に摺動によって引き出すことができる。取付穴部分１０Aに戻ったかどうかは、工具ホルダー９が取付穴部分１９Aと把持穴部分１９Bの接合線を通り越したときのカチッという音ですぐにわかる。
【００１１】
図４乃至６を参照すると、外側管状部分２５Aと、挿入穴２６が形成された内部管状コア部分２５Bの２つの部分で構成されるサイドロック式工具ホルダー２５（締め付け装置を構成する）が示されており、垂直円形円筒形シャンク２８を持つ切削工具２７（挿入部材を構成する）を、シャンク２８に圧接する横方向締め付けネジ２９を介して、解除自在に締め付けるようになっている。部分２５A、２５Bは異なる素材で作って、工具のびびり（tool chatter）を実質的に減衰する、たとえば、部分２５Aを鋼で、部分２５Bを鋳鉄で作ればよい。
【００１２】
挿入穴２６は、それぞれ平行で互いにずれた位置に配置される縦軸を持つ取付穴部分３１Aと把持穴部分３１Bを合体させて形成される点では、挿入穴１５に類似する（図５，６参照）。しかし、挿入穴２６は一端が閉じていて、開放端部が閉鎖端部より力による膨張を受けやすいため、把持穴部分３１Bの形状が円筒形であると、これによってもたらされる把持力は均一でなくなる。垂直円形円筒形シャンク２８が把持穴部分３１Bの全長にわたって均一に把持されるようにするために、把持穴部分３１Bは円筒形の代わりに垂直円形円錐台形状を持つ。軸３２Ｂに対して垂直に取った把持穴部分３１Ｂの断面は、閉鎖端部側の方が開放端部側より大きい。取付穴部分３１Aと把持穴部分３１Ｂの内部表面は接合線３３A、３３Ｂで交わる。上述の円錐台形により、同じ把持能力が把持穴部分の全長にわたって達成され、切削工具２７を把持穴部分３１Ｂに締め付けたとき、締め付け表面３３は両端で等しい弧角を持つ。
【００１３】
工具ホルダー２５を切削工具２７の締め付けに用いるには、工具ホルダークランプ装具１の場合と同じようにする。一例として、シャンク直径がD0=２０.00mmの切削工具２７に用いる工具ホルダー２５は、以下の三重項（insertion bore triplet）D1=20.07mm, D2=19.985mm, D3=1mmで定義される挿入穴２６を持つ。この場合、切削工具２７を把持穴部分３１Ｂの中で締め付けると、締め付け表面３３の弧角は把持穴部分３１Ｂの両端で約１８１°になる。
【００１４】
図７乃至１１を参照すると、レンチ３５（締め付け装置を構成する）は、レンチヘッド３７につながる伸長アーム３６を含み、工具ホルダー３８（挿入部材を構成する）の直径がD0である垂直円形円筒形締め付けナット３９（シャンク部分を構成する）を解除したり締め付けたりするようになっている。レンチヘッド３７は、直径がD2である垂直円形円筒形把持穴部分４１Ｂと、直径がD1である傾斜円形円筒形取付穴部分４１Aの合体によって形成される挿入穴４０を持ち、これによりそれぞれの縦軸４３Ｂと４３Aの間には傾斜角γが生じる（図８、９A参照）。縦軸４３Aと４３Ｂは取付穴部分４１Aと把持穴部分４１Ｂとの中間点で交差していて、それぞれの表面が一対の三日月形接合線４４A、４４Ｂで交わることにより、取付穴部分４１Aの三日月形表面４５A、４５Ｂを規定している。
【００１５】
使用にあたっては、レンチ３５をまず鉛直に保持されている工具ホルダー３８に対して傾斜させて、レンチを工具ホルダーの上から滑り込ませることで、締め付けナット３９が取付穴部分４１A内に収まるようにする。（図１０A、１０Ｂ参照）。その後、レンチ３５を工具ホルダー３８に対して、図１０Ｂの点線矢印で示すように、時計方向に回転させ、締め付けナット３９を把持穴部分４１Ｂに強く挿入して、レンチ３５を締め付けナット３９に対して締め付ける。この位置では、レンチ３５は軸４３Ｂを中心に回転して締め付けナット３９を解除する（図１１A 、１１Ｂ参照）。摩耗した切削工具を新しい切削工具と交換し、工具ホルダー３８に対してレンチ３５を軸４３Ｂの周りを逆方向に回転させることで締め付けナット３９を締め付ける。締め付けナット３９を締め付けなおしたところで、レンチ３５を図１０Ｂの点線矢印で示す方向とは逆の反時計回りに回転させる。その結果、締め付けナット３９と把持穴部分４１Ｂとの接触が解除され、レンチ３５を工具ホルダー３８から上方向に取り外すことができる。
【００１６】
上記形態には本発明の精神の範囲で各種の変形、変更が可能である。本発明はそうした添付クレームの範囲にある変更、変形のすべてを包含する。たとえば、挿入穴の取付穴部分および把持穴部分の縦軸は、挿入部材がこれらの間を移動できれば、単一平面上にある必要はない。
【００１７】
加えて、図１２A、１２Ｂに示すように、サイドロック式工具ホルダー２５は、工具ホルダーの締め付けネジ２９によって係合される傾斜面を持つ凹部４２Aが形成された切削工具４２と共に用いられ、ネジの締め付け力FSの半径方向成分FSTによって、切削工具４２を取付穴部分３１Aから把持穴部分３１Ｂに力によって移動させると同時に、切削工具４２を、締め付け力FSの軸方向成分FSAによって、工具ホルダーの前部当接面（leading abutment surface）に対して軸方向に圧接することで、切削工具４２をしっかりと締め付ける。凹部４２Aは比較的浅くして（図１２A参照）、たとえば、旋削切削工具（turning cutting tool）に適したF2>F1としてもよく、あるいはまた、ドリルまたはフライス切削工具に適したF2=F1(ここで、F1 、F2は軸方向当接力)としてもよい。
【図面の簡単な説明】
【図１】  解除自在に工具ホルダーを締め付けるための工具ホルダー締め付け装具を示す一部切り欠き斜視図。
【図２】  工具ホルダーの当初挿入位置とそれに続く締め付け位置を示す、図１の線I-Iに沿った、工具ホルダー締め付け装具の横断面図。
【図３】  工具ホルダーの当初挿入位置とそれに続く締め付け位置を示す、図１の線I-Iに沿った、工具ホルダー締め付け装具の横断面図。
【図４】  解除自在に切削工具を締め付けるための工具ホルダーの斜視図。
【図５】  図４の工具ホルダーの上面図。
【図６】  図４の線II-IIに沿った工具ホルダーの縦断面図。
【図７】  工具ホルダーの締め付けナットを解除および締め付けるための工具ホルダーとレンチの一部を示す斜視図。
【図８】  図７のレンチの斜視図。
【図９】  Ａ−Ｃは図８の線 III-III, IV-IV、V-Vにそれぞれ沿った、図７のレンチの縦断面図。
【図１０】  工具ホルダーが当初挿入位置にある、図７のレンチと工具ホルダーの斜視図（Ａ）および縦断面図（Ｂ）。
【図１１】  工具ホルダーがその後の締め付け位置にある、図７のレンチと工具ホルダーの斜視図（Ａ）および縦断面図（Ｂ）。
【図１２】  半径方向および軸方向に工具を締め付けるためのサイドロック式工具ホルダーを示す（Ａ）、図４の線II-IIに沿った縦断面図（Ｂ）。
【図１】
0003901452.tif 000002
【図２】
0003901452.tif 000003
【図３】
0003901452.tif 000004
【図４】
0003901452.tif 000005
【図５】
0003901452.tif 000006
【図６】
0003901452.tif 000007
【図７】
0003901452.tif 000008
【図８】
0003901452.tif 000009
【図９Ａ】
0003901452.tif 000010
【図９Ｂ】
0003901452.tif 000011
【図９Ｃ】
0003901452.tif 000012
【図１０Ａ】
0003901452.tif 000013
【図１０Ｂ】
0003901452.tif 000014
【図１１Ａ】
0003901452.tif 000015
【図１１Ｂ】
0003901452.tif 000016
【図１２Ａ】
0003901452.tif 000017
【図１２Ｂ】
0003901452.tif 000018